(57)【特許請求の範囲】
【請求項１】
間接活線作業において、ヤットコの一対の把持部に装着し、カバー類の開閉を行うための先端工具であって、
前記一対の把持部に対し着脱可能に接続される一対の接続部と、
この一対の接続部にそれぞれ連結部を介して一端が傾動自在に取り付けられ、ガイド部を介して互いにスライド運動可能に連結される第１のスライド部材及び第２のスライド部材と、
これら第１のスライド部材及び第２のスライド部材の他端においてそれぞれのスライド部材と直交し同一方向へ突出するように設けられる一対の差込部と、を備え、
前記ガイド部は、前記第１のスライド部材に設けられる係止部と、前記第２のスライド部材に設けられ前記係止部に案内されるレール部と、から構成され、
前記一対の差込部は、前記一対の接続部同士の間に設けられることを特徴とする先端工具。
【請求項２】
前記係止部は、前記第１のスライド部材の長手方向に沿って間隔を空けて直列に少なくとも２個以上配置されるスライドガイド軸であり、
前記レール部は、前記スライドガイド軸に嵌合されるガイド孔であることを特徴とする請求項１記載の先端工具。
【請求項３】
前記一対の差込部のうちの一方の差込部は、前記第２のスライド部材に接続され、
前記一対の差込部のうちの他方の差込部は、前記第１のスライド部材に接続され、
前記一方の差込部は、前記第１のスライド部材の前記一端に取り付けられた前記接続部に対し、前記他方の差込部よりも近くに設けられ、この他方の差込部は、前記第２のスライド部材の前記一端に取り付けられた前記接続部に対し、前記一方の差込部よりも近くに設けられることを特徴とする請求項１又は請求項２に記載の先端工具。
【請求項４】
前記一対の差込部は、それぞれの先端に切欠部が設けられることを特徴とする請求項１乃至請求項３のいずれか１項に記載の先端工具。
【発明の詳細な説明】
【技術分野】
【０００１】
本発明は、ヤットコの一対の把持部に装着し、カバー類の開閉を行うための先端工具に係り、特に、一端に差込部が設けられるスライド部材がそれぞれ把持部に取り付けられる先端工具に関する。
【背景技術】
【０００２】
従来、間接活線作業においては、電線等のカバー類の開閉に適した工具がなく、現状では針型の先端工具を開閉口の隙間に差し込んでこじ開けている。しかし、閉じられた開閉口の隙間はわずかである上に、例えば開閉口が側方向に位置している場合では針型の先端工具を横側から差し込むことが必要であることから、開閉を行うことが困難であるという課題があった。さらに、先端工具の先端がカバー内の電線に接触して地絡事故が発生したり、電線が損傷したりする可能性があった。
そこで、このような課題を解決する目的で、近年、カバー類を開閉するための先端工具に関する技術が開発されており、それに関して既に発明が開示されている。
【０００３】
特許文献１には「電線管挿入用工具及び電線管挿入工法」という名称で、間接活線工法において用いられる電線管挿入用工具に関する発明が開示されている。
以下、特許文献１に開示された発明について説明する。特許文献１に開示された電線管挿入用工具に関する発明は、間接活線工法において電線の存在を喚起するための電線管を電線に挿入・取り付ける際に用いられる電線挿入用工具であって、電線管は絶縁弾性材料で成形されて、その長手方向に沿って切り込み部が形成されており、第１及び第２の操作部材と、第１及び第２の操作部材にその一端部が所定の方向に延びる回転軸回りに回動可能にそれぞれ取り付けられた第１及び第２の作用部材と、第１及び第２の作用部材においてその一端部と他端部との間で所定の方向と平行な回転軸回り回動可能に第１及び第２の作用部材を連結する連結部材とを有することを特徴とすることを特徴とする。
このような特徴を備えた電線管挿入用工具においては、第１及び第２の操作部材が握られる等によって閉じる方向に操作されると、第１及び第２の作用部は上記の回転軸回りに開く方向に回動する。したがって、第１及び第２の作用部材の先端部を電線管の開口端から挿入しておけば、電線管に開く方向に力が作用することになって、切り込み部を容易に開くことができる。
【０００４】
次に、特許文献２には「アダプタ」という名称で、ヤットコに取り付けられるアダプタに関する発明が開示されている。
特許文献２に開示されたアダプタに関する発明は、ヤットコの把持部の両アームの先端に取り付けられるとともに、両アームの開閉に応じて互いに相対的にスライド可能な一対のスライド部材と、把持部の両アームと反対方向に開口するとともに、両スライド部材の相対移動に追従して開閉可能な一対のアームとからなる反転把持部を備えていることを特徴とする。
このような特徴を有するアダプタにおいては、両スライド部材のスライドに追従して反転把持部の一対のアームが開閉すると、反転把持部の両アーム間に対象物が把持される。この場合、反転把持部の一対のアームは、ヤットコの把持部の両アームと反対方向に開口しているので、例えば、上方の作業対象物に対して下方からヤットコの操作部を操作することにより、反転把持部に把持した対象物を作業対象物に上方から取り付けることができる。したがって、そのような作業を作業者一人で行うことができるので、作業効率を高めることができるとともに、作業者の安全を確保することもできる。
【先行技術文献】
【特許文献】
【０００５】
【特許文献１】特開２００８−７９４０４号公報
【特許文献２】特開２０１１−１２５１４２号公報
【発明の概要】
【発明が解決しようとする課題】
【０００６】
しかしながら、特許文献１に開示された発明においては、ヤットコの把持部を閉じると、把持部の支点に対し作用部の先端にある突起部が前方に突出する。一方で、把持部の先端は円弧軌道を描いて後方に下がる。したがって、突起部は、前方に向かう運動と後方に向かう運動とが合成された運動による軌道を描くこととなり、その軌道を作業者が正確に把握して作業を行うことは困難である。そのため、例えば、カバー類の開口部を拡張する際に、突起部がカバー類の内部に収容された電線等に接触しないように注意を払う必要があり、特に暗所においては、このような細かな作業が負担となることも考えられる。
【０００７】
次に、特許文献２に開示された発明においては、当該文献の図１０に示されるように、スライド部材の一端が支持部材によって支持されることで、スライド部材の他方が下方向に傾斜することが防止されている。しかし、これにより、構造が複雑となり全体の重量も増加することから、逆に操作性が低下する可能性がある。
【０００８】
本発明は、このような従来の事情に対処してなされたものであり、簡易かつ軽量な構成であるために操作性が良好な先端工具を提供することを目的とする。
【課題を解決するための手段】
【０００９】
上記目的を達成するため、請求項１記載の発明に係る先端工具は、間接活線作業において、ヤットコの一対の把持部に装着し、カバー類の開閉を行うための先端工具であって、一対の把持部に対し着脱可能に接続される一対の接続部と、この一対の接続部にそれぞれ連結部を介して一端が傾動自在に取り付けられ、ガイド部を介して互いにスライド運動可能に連結される第１のスライド部材及び第２のスライド部材と、これら第１のスライド部材及び第２のスライド部材の他端においてそれぞれのスライド部材と直交し同一方向へ突出するように設けられる一対の差込部と、を備え、ガイド部は、第１のスライド部材に設けられる係止部と、第２のスライド部材に設けられ係止部に案内されるレール部と、から構成され、一対の差込部は、一対の接続部同士の間に設けられることを特徴とする。
【００１０】
このような構成の先端工具においては、第２のスライド部材に設けられるレール部が第１のスライド部材に設けられる係止部に係止されると、第１のスライド部材と第２のスライド部材は互いに平行するスライド運動を行う。一方、ヤットコの一対の把持部を開閉すると、把持部の先端はそれぞれ対称的に円弧運動を行う。また、一対の差込部は、一対の把持部とは反対側へ突出する。
さらに、連結部によって、一方の接続部と第１のスライド部材のなす角度（以下、角度αという）と、他方の接続部と第２のスライド部材のなす角度（以下、角度βという）は、それぞれ自在に変化する。したがって、一対の把持部と、第１のスライド部材及び第２のスライド部材と、をそれぞれ連結部を介して連結すると、ヤットコの開閉時における把持部の円弧運動が連結部によって吸収され、第１のスライド部材及び第２のスライド部材同士は互いに滑らかなスライド運動を行うこととなる。このとき、角度αと角度βは等しくなる。
【００１１】
また、第１のスライド部材及び第２のスライド部材の他端にそれぞれ設けられる一対の差込部は、一対の接続部同士の間に設けられるため、把持部を開閉すると差込部同士も開閉する。このとき、差込部の先端は、ヤットコを開閉する際における把持部の先端の円弧運動と、第１及び第２のスライド部材のスライド運動とが合成された運動を行う。
なお、本請求項記載の先端工具は、感電、地絡（事故停電）のリスクを減少させるため例えばアルミ合金製が望ましい。また、係止部とレール部が入れ替わり、それぞれ第２のスライド部材及び第１のスライド部材に設けられても良い。
【００１２】
次に、請求項２記載の発明は、請求項１記載の先端工具において、係止部は、第１のスライド部材の長手方向に沿って間隔を空けて直列に少なくとも２個以上配置されるスライドガイド軸であり、レール部は、スライドガイド軸に嵌合されるガイド孔であることを特徴とする。
このような構成の先端工具においては、請求項１記載の発明の作用に加えて、スライドガイド軸が間隔を空けて直列に少なくとも２個以上配置され、ガイド孔がスライドガイド軸に嵌合されることから、第１のスライド部材と第２のスライド部材は、互いに一本の直線軌道上を重複しながらスライド運動する。したがって、一対の差込部は、スライド運動に伴い、互いに平行な状態が維持されながらその間隔が変化する。
【００１３】
さらに、請求項３記載の発明は、請求項１又は請求項２に記載の先端工具において、一対の差込部のうちの一方の差込部は、第２のスライド部材に接続され、一対の差込部のうちの他方の差込部は、第１のスライド部材に接続され、一方の差込部は、第１のスライド部材の一端に取り付けられた接続部に対し、他方の差込部よりも近くに設けられ、この他方の差込部は、第２のスライド部材の一端に取り付けられた接続部に対し、一方の差込部よりも近くに設けられることを特徴とする。
このような構成の先端工具においては、請求項１又は請求項２に記載の発明の作用に加えて、ヤットコの一対の把持部を閉じると差込部同士の間隔は拡大し、逆に一対の把持部を開くと差込部同士の間隔は短縮する。
【００１４】
そして、請求項４記載の発明は、請求項１乃至請求項３のいずれか１項に記載の先端工具において、一対の差込部は、それぞれの先端に切欠部が設けられることを特徴とする。
このような構成の先端工具においては、請求項１乃至請求項３のいずれか１項に記載の発明の作用に加えて、例えば、カバー類の開口部に摘み部が設けられる場合では、摘み部に切欠部が掛止されるため、開口部が開放され易くなる。
【発明の効果】
【００１５】
本発明の請求項１記載の先端工具によれば、ヤットコの開閉という簡単な操作によって、第１及び第２のスライド部材同士が互いに滑らかなスライド運動が可能であるため、一対の差込部同士の間隔を自在に変化させることができる。したがって、例えばカバー類の開口部の隙間に一対の差込部を差し込んでヤットコを操作すると、この隙間を容易に拡張することができる。また、本請求項１記載の先端工具は、接続部と、第１及び第２のスライド部材と、差込部等といった簡易な構成であることに加えて、軽量のアルミ合金等で形成可能であることから、操作性及び絶縁性を良好とすることができる。したがって、作業員の感電や地絡事故を未然に防ぐことが可能である。
【００１６】
本発明の請求項２記載の先端工具によれば、請求項１記載の発明の効果に加えて、一対の差込部は、互いに平行な状態が維持されながらその間隔が変化するため、開口部に対しほぼ直角に差込部を当接させることができる。したがって、特にカバー類の開口部を閉じる際にこの開口部から差込部の先端が外れ難い。
【００１７】
本発明の請求項３記載の先端工具によれば、請求項１又は請求項２に記載の発明の効果に加えて、ヤットコの把持部を閉じると差込部同士の間隔は拡大することから、差込部同士の間隔を変化させる際に、把持部の最大の開放角度の制限を受けない。したがって、差込部同士の間隔を作業に必要な範囲まで拡大させることができる。
【００１８】
本発明の請求項４記載の先端工具によれば、請求項１乃至請求項３のいずれか１項に記載の発明の効果に加えて、カバー類の摘み部を備える開口部をより速やかに開口することができる。
【図面の簡単な説明】
【００１９】
【図１】（ａ）及び（ｂ）は、それぞれ本発明の実施例に係る先端工具の側面図及び（ａ）のＡ線矢視図である。
【図２】図１（ａ）におけるＢ線矢視図である。
【図３】本発明の実施例に係る先端工具の使用状態図である。
【発明を実施するための形態】
【実施例１】
【００２０】
本発明の実施の形態に係る実施例の先端工具について、図１乃至図３を用いて詳細に説明する。図１（ａ）及び図１（ｂ）は、それぞれ本発明の実施例に係る先端工具の側面図及び図１（ａ）のＡ線矢視図である。
図１（ａ）及び図１（ｂ）に示すように、本実施例に係る先端工具１は、アルミ合金製であって、ヤットコ５０を構成する一対の把持部５１，５２の先端部５１ａ，５２ａ（図３参照）に対しそれぞれ着脱可能に接続される一対の接続部２，３と、一対の接続部２，３にそれぞれ連結部４，５を介して一端６ａ，７ａが取り付けられる一対のスライド部材６，７と、スライド部材６，７の他端６ｂ，７ｂに設けられる一対の差込部８，９と、を備える。
接続部２，３は、先端部５１ａ，５２ａが嵌合される嵌合孔２ａ，３ａと、嵌合された先端部５１ａ，５２ａを締め付けて固定する留めネジ２ｂ，３ｂと、を備える。
連結部４，５は、スライド部材６，７に対し、接続部２，３を傾動自在に取り付けるための軸体である。
スライド部材６，７は、互いにガイド部１０を介して長尺状の本体部６ｃ，７ｃが互いにスライド運動可能に構成される。具体的には、本体部６ｃ，７ｃの長さはそれぞれ４ｃｍ程度である。なお、他端７ｂは差込部８，９を越えて連結部４の方向へやや延設されている。
また、一対の差込部８，９は、それぞれのスライド部材６，７と直交する方向に接続部２，３と反対側へ突出する。
【００２１】
ガイド部１０は、スライド部材７の他端７ｂに設けられる係止部１１と、スライド部材６の本体部６ｃに設けられ係止部１１に案内されるレール部１２と、から構成される。係止部１１は、他端７ｂの長手方向に沿って間隔を空けて直列に配置される２個のスライドガイド軸１１ａ，１１ｂであり、レール部１２は、スライド部材６の本体部６ｃに設けられ、スライドガイド軸１１ａ，１１ｂに嵌合されるガイド孔１２ａである。
なお、スライドガイド軸１１ａ，１１ｂは、軸部の両端に頭部を備え、スライド部材７の他端７ｂに軸部が貫通して固設される。また、頭部の直径は、レール部１２の横幅よりもやや大きく構成されることにより、レール部１２が取り外し不可能となっている。ただし、これ以外にも、スライドガイド軸１１ａ，１１ｂの頭部を軸部に対して着脱可能なネジ式とすることで、スライド部材６，７同士を分離可能な構成としても良い。
差込部８，９は、接続部２と接続部３の間に設けられ、側面視で先細状に形成された先端部８ａ，９ａにはそれぞれ切欠部１３，１４が設けられる。差込部８，９の具体的な長さは、いずれも２ｃｍ程度である。また、差込部８，９は互いに交差する（すなわち、差込部８，９に接続される箇所と連結部４，５との間の一部が互いに平行に重なり合った状態となる）ようにスライド部材６，７に連結されるため、差込部８は、スライド部材７の一端７ａに取り付けられた接続部３に対し、差込部９よりも近くに設けられる。同様に、差込部９は、スライド部材６の一端６ａに取り付けられた接続部２に対し、差込部８よりも近くに設けられる。
差込部８，９の可動範囲は、図１（ａ），（ｂ）に示される接触した状態から、図１（ａ）に示される白抜き矢印の方向へ互いに離れて、スライドガイド軸１１ａがガイド孔１２ａの図中右側の端部１２ｃ（図３参照）へ当接して差込部８，９が最大に離れる状態となるまでの範囲となる。
【００２２】
次に、図２を用いて、本発明に係る先端工具の先端部についてより詳細に説明する。図２は図１（ａ）におけるＢ線矢視図である。
図２に示すように、差込部８の先端部８ａには長方形状をなす切欠部１３が設けられる。切欠部１３は、各種カバーの噛合面に設けられている摘み部が、切欠部１３へ嵌合されることを目的として設けられたものである。摘み部は、開口部を閉じた場合に、その噛合面を互いに係止可能及び開放容易とすることを目的としている。なお、差込部９における切欠部１４も、切欠部１３と同様な構成である。
【００２３】
さらに、図３を用いて、先端工具の使用状態について詳細に説明する。図３は、本発明の実施例に係る先端工具の使用状態図である。
図３に示すように、ヤットコ５０の把持部５１，５２の先端部５１ａ，５２ａに対し、接続部２，３の嵌合孔２ａ，３ａを介して、先端工具１が装着されている。このように、先端部５１ａ，５２ａが留めネジ２ｂ，３ｂによって締緩されることで、先端工具１がヤットコ５０に対し着脱可能に固定される。
【００２４】
続いて、本発明に係る先端工具の作用について説明する。図３に示すように、本実施例の先端工具１においては、ヤットコ５０の把持部５１，５２が支軸５３を中心に開閉されることで、連結部４，５によって接続部２，３とスライド部材６，７がそれぞれなす角α，βが変化する。すなわち、把持部５１，５２が開くと角α，βが小さくなり、また、把持部５１，５２が閉じると角α，βが大きくなる。なお、αの大きさとβの大きさは、等しい。
そして、スライド部材６，７は、互いに一本の直線軌道（Ｃ）上を重複しながらスライド運動する。したがって、差込部８，９は、このスライド運動に伴い、互いに平行な状態が維持されながらその間隔Ｌが変化する。
【００２５】
さらに、差込部８は、接続部３に対し、差込部９よりも近くに設けられる。同様に、差込部９は、接続部２に対し、差込部８よりも近くに設けられることから、把持部５１，５２が開いて角α，βが小さくなるにつれ、ガイド孔１２ａの端部１２ｂがスライドガイド軸１１ｂに接近する。また、把持部５１，５２が閉じて角α，βが大きくなるにつれ、ガイド孔１２ａのもう一方の端部１２ｃがスライドガイド軸１１ａに接近する。したがって、差込部８と差込部９との図中ｘ方向における間隔Ｌは、把持部５１，５２を開くと短縮し、閉じると拡大する。すなわち、把持部５１，５２の開放角度が最大となるとき、間隔Ｌが拡大する構成となっていない。なお、間隔Ｌの取り得る範囲は、０〜３ｃｍ程度である。
【００２６】
続いて、把持部５１，５２の開閉時における差込部８，９の先端部８ａ，９ａが行う運動について検討する。まず、把持部５１，５２が開閉すると先端部５１ａ，５２ａはそれぞれ円弧運動を行うことから、差込部８，９の先端部８ａ，９ａにもこの円弧運動が伝達される。ただし、差込部８，９同士の開閉運動は、前述したように、スライドガイド軸１１ａ，１１ｂとガイド孔１２ａによって制限される。よって、先端部８ａ，９ａは、把持部５１，５２の先端部５１ａ，５２ａの円弧運動とレール部１２に沿った直線運動とが合成された運動を行うこととなる。したがって、把持部５１，５２を閉じるとき、先端部８ａ，９ａはスライド部材６，７ごと前方（図中ｙ方向）へ移動しながら、その間隔が拡張する。
また、カバー類の開口部に摘み部が設けられる場合では、摘み部に先端部８ａ，９ａの切欠部１３，１４がそれぞれ係止されるため、開口部が開放され易くなる。
【００２７】
ここで、本実施例に係る先端工具１と特許文献１に係る電線管挿入用工具とを比較する。前述したように、特許文献１に係る電線管挿入用工具においては、ヤットコの把持部を閉じると、把持部の支点に対し作用部の先端にある突起部が前方に突出する。
これに対し、本実施例に係る先端工具１においても、ヤットコ５０の把持部５１，５２を閉じると先端部８ａ，９ａが前方に移動するが、特許文献１に係る電線管挿入用工具のような第１及び第２の操作部材に相当する部材を有していないため、電線管挿入用工具の突起部が突出する距離よりも先端工具１の先端部８ａ，９ａが突出する距離の方が短くなるものと考えられる。
【００２８】
以上説明したように、本実施例の先端工具１によれば、各種カバーの開口部の隙間に差込部８，９を差し込み、把持部５１，５２を閉じるようにヤットコ５０を操作することで、開口部を容易に開くことが可能である。したがって、各種カバーの開口部を無理にこじ開ける必要がないので、各種カバーの破損やカバー内に収容された電線の損傷を防止することが可能である。さらに、先端工具１は、アルミ合金製であるので、万一電線に接近しても感電、地絡事故の発生を未然に防ぐことが可能である。
また、差込部８，９の長さを適度に短くすることで、特許文献１に係る電線管挿入用工具や特許文献２に係るアダプタよりも、全体的にコンパクトかつ軽量とすることが可能である。さらに、先端工具１では、ヤットコ５０を閉じる場合において、先端部８ａ，９ａが突出する距離が電線管挿入用工具の突起部が突出する距離よりも短くなるものと考えられるため、作業者は先端部８ａ，９ａの到達位置を直観的に予想し易い。すなわち、先端部８ａ，９ａの軌道の把握が容易なため、作業者は先端部８ａ，９ａがカバー類の内部に収容された電線等に接触することを回避することができる。このように、先端工具１は、作業時における良好な操作性と高い安全性を発揮することが可能であり、容易かつ速やかに間接活線作業を完了させることができる。
【００２９】
また、差込部８，９は、互いに平行な状態が維持されながらその間隔が変化するため、カバー類の開口部に対しほぼ直角に差込部８，９を当接させることができる。したがって、特に開口部を閉じる場合において、特許文献１に係る電線管挿入用工具のように開口部に対し斜方向から突起部が当接する場合と比較すると、開口部から先端部８ａ，９ａが外れ難い。
さらに、把持部５１，５２の開放角度が最大となるとき、差込部８，９同士の間隔Ｌが拡大する構成となっていないことから、間隔Ｌを拡大させて開口部を開く際に、把持部５１，５２の最大の開放角度の制限を受けない。したがって、開口部を作業に必要な範囲まで十分に拡大させることができる。
加えて、先端部８ａ，９ａに切欠部１３，１４が備えられるため、摘み部を備える開口部をより速やかに開口することができる。
また、スライドガイド軸１１ａ，１１ｂの頭部を軸部に対しネジ式とすることで、スライド部材６に対するスライド部材７のスライド位置を一時的に固定することができる。これにより、差込部８，９同士の間隔Ｌを所望する長さに保持することが可能であり、カバー類の開口部を開放状態に保持し、その内部における作業を容易に行うことができる。
【００３０】
なお、本実施例に係る先端工具１の構造は本実施例に示すものに限定されない。例えば、先端工具１は、材質がアルミ合金製に限定されず、３個以上のスライドガイド軸が設けられても良い。また、スライド部材６，７やガイド部１０の長さを調整することで、差込部８，９同士の間隔Ｌの最大距離を３ｃｍ以上にすることができる。
【産業上の利用可能性】
【００３１】
本発明は、間接活線作業における各種カバー類の開閉具として適用可能である他、例えばボルトの頭部に装着されたゴム製キャップの取り外し用具としても適用可能である。
【符号の説明】
【００３２】
１…先端工具  ２，３…接続部  ２ａ，３ａ…嵌合孔  ２ｂ，３ｂ…留めネジ  ４，５…連結部  ６，７…スライド部材  ６ａ，７ａ…一端  ６ｂ，７ｂ…他端  ６ｃ，７ｃ…本体部  ８，９…差込部  ８ａ，９ａ…先端部  １０…ガイド部  １１…係止部  １１ａ，１１ｂ…スライドガイド軸  １２…レール部  １２ａ…ガイド孔  １２ｂ，１２ｃ…端部  １３，１４…切欠部  ５０…ヤットコ  ５１，５２…把持部  ５１ａ，５２ａ…先端部  ５３…支軸  
【図１】
0005968937.tif 000002
【図２】
0005968937.tif 000003
【図３】
0005968937.tif 000004